(57)【特許請求の範囲】
【請求項１】
第１の路線から第２の路線に乗り換える乗換駅に設置され、乗り換える場合に通過する自動改札システムにおいて、
第１の路線を下車するための特急券、第１の路線を下車しかつ当該乗換駅を乗車区間に含んで第２の路線に乗車するための乗車券、及び当該乗換駅を含まない第２の路線の定期券が入力された場合、特急券及び乗車券は有効で第１の路線からの下車は可能と判断すれば該自動改札システムのゲートを開けて通過を許可し、
下車は不可能と判定すれば、該自動改札システムのゲートを閉じて通過を認めず、
さらに通過を許可した場合には、乗車券と定期券の区間が連続していれば、定期券に当該定期券の区間内の所定駅から乗車したことを記録し、
該区間が連続していなければ、定期券には当該乗換駅から乗車したことを記録することを特徴とする自動改札方法。
【請求項２】
第１の路線から第２の路線に乗り換える乗換駅に設置され、乗り換える場合に通過する自動改札システムにおいて、
第１の路線を下車しかつ当該乗換駅を乗車区間に含んで第２の路線に乗車するための新幹線回数券又は特急乗車券、及び当該乗換駅を区間に含まない第２の路線の定期券が入力された場合、新幹線回数券又は特急乗車券は有効で第１の路線からの下車は可能と判断すれば該自動改札システムのゲートを開けて通過を許可し、
下車は不可能と判定すれば、該自動改札システムのゲートを閉じて通過を認めず、
さらに通過を許可した場合には、新幹線回数券又は特急乗車券と定期券の区間が連続していれば、定期券に当該定期券の区間内の所定駅から乗車したことを記録し、
該区間が連続していなければ、定期券には当該乗換駅から乗車したことを記録することを特徴とする自動改札方法。
【発明の詳細な説明】
【０００１】
【発明の属する技術分野】
本発明は、新幹線と在来線の乗り換え口等、異なる路線の乗り換え口に自動改札機を設置して、正しい乗車か否かを判定するための自動改札方法に関する。
【０００２】
【従来の技術】
従来より、鉄道の改札口には自動改札機が導入されているが、新幹線と在来線の乗換え口には自動改札が設置されておらず、もし乗換え口に自動改札機を設置しても１人の乗客がこの改札機に入力できる切符は１枚だけである。
鉄道改札システムの近年の動向では、不正乗車を防止するために、「乗車の記録のない乗車券での下車は認めない」という傾向がある。走行距離の短い私鉄であれば、これで問題はないが、全国どこからでも乗車、下車のできるＪＲにおいては、この規則をそのまま適用するのは困難がある。例えば、東京近辺に住む人が関西方面へ出張し、帰りに東海道新幹線で、東京まで乗車し、そこから在来線に乗り換えて、自分の最寄りの駅で定期券で下車しようとした場合、その定期券には乗車の記録がない。乗車の記録がないから下車を認めない、という規則をそのまま適用すれば、正しい乗車をした乗客にも不正乗車の疑いをかけてしまう、という問題があった。
従って、その乗客が在来線の定期券を持っていても、下車駅で不正乗車の疑いにより自動改札を通過できないこともあった。このことは、ＪＲ、私鉄等の異なる路線相互間を乗り換える場合にも、同じ問題が生じていた。
【０００３】
【発明が解決しようとする課題】
このように、新幹線と在来線の乗り換え口に自動改札機を設置した場合、新幹線から在来線に乗り換える時、新幹線の乗車券と特急券の２枚を乗り換え口の自動改札機に入力できないという問題があった。また、乗車券と特急券の２枚を入力できたとしても、その乗客が定期券で在来線の駅で下車する時、定期券に乗車の印が記録されていないので、正しい乗車をしているにもかかわらず、下車駅でその定期券に乗車の記録がないために不正乗車の疑いをかけられる等の問題があった。
そこで、本発明の目的は、このように従来の課題を解決し、異なる鉄道路線間に自動改札機を設置して、正しい乗車をした乗客に不正乗車の疑いをかけることなく、乗客から正しい運賃を徴収することが可能な自動改札方法を提供することにある。
【０００４】
【課題を解決するための手段】
上記目的を達成するため、本発明の自動改札システムでは、自動改札機に乗客の接近を検知するセンサ１ともう少し乗客が進んだ時に検知するセンサ２を設け、センサ１がＯＮになってからセンサ２がＯＮになるまで乗客の乗車券、定期券等を受け付け、それらを読取る手段、読んだ内容をテーブルに記憶する手段、入力された特急券、乗車券が有効か否か判断する手段、それらの乗車券と定期券の区間が連続しているか否かを判断する手段、定期券に乗車の印を記録する手段を設ける。
具体的には、新幹線から在来線へ乗換える時、乗客は乗換え口に設置した自動改札機に、新幹線から下車するための特急券、新幹線と在来線の両方に乗車出来る乗車券、さらに在来線から下車するときに使用する定期券を入力することにより、自動改札機は特急券、乗車券が有効であれば、ゲートを開け、新幹線からの下車を認め、乗車券と定期券の区間が連続していれば、その定期券に定期券で乗車、下車可能な駅からの乗車であることを書き込む。乗客は定期券で下車可能な駅ならば、乗車の印があるので下車可能となる。
【０００５】
以下に、本発明の実施態様を記載する。
（１）第１の路線から第２の路線に乗り換える場合に通過する自動改札システムにおいて、第１の路線を下車するために必要な第１の券種が入力されれば、第１の券種は有効か否か判定し、有効であると判定すれば該自動改札システムのゲートを開けて通過を許可する。
（２）第２の路線から第１の路線に乗り換える場合に、乗客が有している複数枚の乗車券の区間が連続していない場合は、乗客がそれらの乗車券を精算機に入力し、不足分を該精算機に入金し、該精算機は第２の路線を乗車できる乗車券を回収し、精算券には乗客が入力した乗車券が連続した区間になる情報を書き込んで発券する。
（３）第２の路線から第１の路線に乗り換える場合に通過する自動改札システムにおいて、上記（２）の精算機から発券された第１の券種が入力されれば、乗車券の判定においては、乗客の通過を認める。
（４）第２の路線から第１の路線に乗り換える場合に通過する自動改札システムにおいて、上記（２）の精算券と第１の券種が入力されれば、該精算券と該第１の券種の乗車券の区間が連続しているか否かを判定し、区間が連続しており、かつ該装置が設置してある駅がその区間に含まれていれば、乗客の通過を認める。
（５）第２の券種と第３の券種の区間が連続していない場合で、乗客が該第３の券種を使用して下車する時は、精算機に第２の券種と第３の券種を入力して差額を精算して下車する。
【０００６】
（６）第２の券種と第３の券種の区間が連続していない場合で、乗客が該第３の券種を使用して下車する時は、精算機に第２の券種と第３の券種を入力して差額を精算し、該精算機は第３の券種に下車を認める記録をし、この第３の券種が入力されれば下車を認める。
（７）第２の券種と第３の券種の区間が連続していない場合で、乗客が精算機に第２の券種と第３の券種を入力して差額を精算し、該精算機は下車を認める券種を発券し、この券種が入力されれば下車を認める。
（８）在来線の駅に設置された自動改札システムにおいて、普通乗車券と定期乗車券の２枚、または普通乗車券か定期乗車券のいずれか１枚と新幹線用または特急回数券のあわせて２枚を入力された場合に、
（ａ）それら２枚の乗車区間が連続していれば、乗車時には定期券、新幹線用回数券、特急回数券には乗車することが認められている駅名を記録し、下車時には下車を認め、
（ｂ）それら２枚の乗車区間が連続していなければ、乗車も下車も認めない。
（９）第１の路線から第２の路線に乗り換える場合に通過する自動改札システムにおいて、第１の路線を下車するために必要な第１の券種だけが入力された場合は、該自動改札装置のゲートを閉じて通過を許可せず、該第１の券種と第２の路線に乗車するために必要な第２の券種が入力されれば、該第１の券種も該第２の券種も有効か否か判定し、すべての券種が有効であると判定すれば該自動改札システムのゲートを開けて通過を許可する。
（１０）上記（１）の機能を実行する第１のモードと上記（２）の機能を実行する第２のモードを有し、ハードウエア的またはソフトウエア的にこれら２つのモードのうち１つを設定し、そのモードで稼動する。
【０００７】
（１１）第２の路線から第１の路線に乗り換える場合に通過する自動改札システムにおいて、乗車券が１枚だけ入力された場合は、乗車券に乗車の印が記録してあるか否かをチェックし、該印がある場合は該乗車券は有効、該印がなければ該乗車券は無効、と判断する。
（１２）第２の路線から第１の路線に乗り換える場合に通過する自動改札システムにおいて、第１の路線に乗車するために必要な第１の券種と、第３の券種が入力された場合は、それらの券で乗車できる区間が連続しているか否かを判定し、区間が連続しており、該自動改札システムが設置してある駅がその区間に含まれていて、かつ第１の券種が有効であれば、乗客の通過を認める。
（１３）第２の路線から第１の路線に乗り換える場合に、乗客が有している複数枚の乗車券の区間が連続していない場合は、乗客がそれらの乗車券を精算機に入力し、不足分を該精算機に入金し、該精算機は第２の路線を乗車できる乗車券を回収、精算券を発券し、第１の路線に乗車することのできる券種には、乗車の印を記録する。
（１４）第１の券種とは特急券、急行券、グリーン券、寝台券、新幹線用回数券、特急用回数券の中のいずれか１枚、または特急券、急行券、グリーン券、寝台券の中のいずれか１枚と乗車券のあわせて２枚であることとする。
（１５）第２の券種とは乗車券、または新幹線用の回数券であることとする。
（１６）第３の券種とは普通乗車券、回数乗車券または定期乗車券のいずれかであることとする。
（１７）乗客が有する切符、回数券、定期乗車券の入力を受け付ける自動改札システムにおいて、乗客が接近したことを感知する第１のセンサとそこから進行方向に進んだ方向に乗客が接近したことを感知する第２のセンサを設け、第１のセンサ出力と第２のセンサ出力に従って、乗客の入力した前記券種を読み、書きする。
（１８）定期乗車券とは、磁気、または非接触ＩＣカードで作成されたこととする。
【０００８】
【発明の実施の形態】
以下、本発明の実施例を、図面により詳細に説明する。
実施例の説明をする前に、本明細書で使用する用語を次のように定義する。
乗車・・・・・自動改札機を通って、入場すること
下車・・・・・自動改札機を通って、退場すること
乗車駅・・・・実際に乗車した駅
下車駅・・・・実際に下車した駅
所定乗車駅・・定期券に記録してある乗車区間の一方の駅
所定下車駅・・定期券に記録してある乗車区間のもう一方の駅
乗車券・・・・主に窓口で駅員が発券する券で、現在の規格では、長辺が８０ｍｍまたは１２０ｍｍで、電車に乗車するために必要な券（特急券は除く）
切符・・・・・主に自動券売機で発券し、近距離の乗車に利用される。現在の規格では、長辺が約５７ｍｍの券
特急券・・・・特急に乗車するために必要な券
新幹線回数券・・乗車券と特急券の両方の役割を果たし、これがあれば所定の新幹線に乗車することができる。
特急回数券・・乗車券と特急券の両方の役割を果たし、これがあれば所定の特急に乗車することができる。
回数乗車券・・在来線の乗車に利用し、切符を一定枚数（一般的には１１枚が多い）まとめて購入する券片。
乗車券類・・・切符、乗車券、周遊券、定期券、回数乗車券、新幹線回数券、特急回数券等、乗車券の効力を有する券。
さらに、本発明で利用する鉄道システムの前提条件を述べる。
（１）切符、定期券、回数乗車券では新幹線に乗車できない。
（２）本発明の自動改札システムが取り扱う券片は、乗車券類は２枚まで、特急券は１枚までの合計３枚までとする。新幹線回数券、在来線回数券を利用する場合は、乗車券類をあと１枚だけ利用可能とする。
（３）乗車の記録のない券片での下車は認めない。
【０００９】
図１は、自動改札機の３種類の信号の例を示す図である。
自動改札機の入口近くに設置したセンサが乗客の接近を感知すれば、ＣＵＳ１という信号をハイレベル（以下、ハイと記述）にして出力する。別のセンサを自動改札機の中央付近または出口付近に設置し、乗客がそのセンサに接近すれば、ＣＵＳ２という信号をハイにして出力する。ＣＵＳ１がハイになってから、ＣＵＳ２がハイになるまで、１人の乗客が投入する券片（切符、定期券、乗車券、特急券等）を受け付けるために、ＴＫＳＴをハイレベルにして出力する。ＴＫＳＴがハイになれば、制御部（図示せず）は投入口のシャッタを開けて、ＴＫＳＴがローレベル（以下ローと記述）になるまで、乗客１からの入力を受け付ける。次に、乗客２が自動改札機に接近し、ＣＵＳ１がハイになれば、ＴＫＳＴがローであれば、ＴＫＳＴをハイにして、乗客２が投入する券片を受け付ける。ＣＵＳ１がハイの時、ＴＫＳＴもハイである場合を図２に示す。図２は、乗客１と乗客２が図１よりも短い時間間隔で自動改札機に接近した例である。乗客２が自動改札機に接近し、ＣＵＳ１がハイになった時、まだＴＫＳＴがハイであった場合は、自動改札機は乗客１の券片を処理している、と判断する。ＣＵＳ２がハイになれば、一旦ＴＫＳＴをローにしてから（シャッタ閉）、ハイ（シャッタ開）にして、乗客２の券片を受け付ける。乗客２が自動改札機の中を進行すれば、ＣＵＳ２をハイにして、ＴＫＳＴをローにしてシャッタを閉じる。図１、図２に示した方法で、乗客が投入した複数枚の券片を処理することが可能となる。
【００１０】
図３以降の図は、新幹線から在来線への乗換え改札口、在来線から新幹線への乗換え改札口、新幹線の乗車下車改札口、在来線の乗車下車改札口での本発明の実秦施例を示す処理フローチャートである。
前提条件でも示したように、正しい乗車は、自動改札機を通って、乗車記録を券片に記録し、下車する時も自動改札機を通ることとする。したがって、乗車の記録のない券片での下車は認めないこととする。これは、例えばＪＲ東日本発行のプリペイドカードであるイオカードが導入当時は、イオカードで乗車し、定期券で下車する、という利用方法を認めていたのに、最近は乗車も下車もイオカードを使用しないと、次回イオカードでの乗車は認めない、という事例や、乗車、下車を交互に記録しないと使用できない、という阪急電鉄のプリペイドカードであるラガールカードや定期券の運営方法に基づいている。今後も鉄道会社では不正乗車を防止するために、「乗車の記録がない券片での下車を認めない」という運営がなされるものと考えられる。本発明でもその考えを踏襲する。
【００１１】
（第１の実施例）
図３、図４は、新幹線から在来線へ（以下、幹在）乗換え口に設置した自動改札機の処理フローチャートである。また、図２４は、自動改札機に設置される下車判定テーブルの図である。第１の実施例として、幹在乗換え口の自動改札機での処理フローの各ステップの説明をする。
ステップ３０１：ＴＫＳＴがハイであれば、ステップ３０２の間でループし、乗客からの入力を待つ。ローになれば、ステップ４０１へ進む。
ステップ３０２：乗客から入力はあったか？あればステップ３０３へ進み、なければステップ３０１へ戻り、入力を待つ。
ステップ３０３：入力された券片の種類は何かを判断し、種類ごとに異なる処理を行う。
ステップ３０４：乗車券、周遊券の場合、乗車区間が正しいか、本日は有効日数の中に入っているかのチェックを行う。ＯＫならばステップ３０５へ、ＯＫでなければステップ４０８へ進む。
【００１２】
ステップ３０５：乗車券に記録されている乗車駅名は、乗車券で許されている乗車区間内の駅名であるかをチェックする。例えば名古屋〜東京の乗車券に「乗車駅＝京都」と記録されていれば、妥当な乗車駅でない、と判断する。妥当な乗車駅名が書かれていれば、ステップ３０６へ、妥当な乗車駅名でない、や何も書かれていなければ、ステップ４０８へ進む。
ステップ３０６：入力された乗車券または周遊券に下車駅、下車日時を記録して乗客に返却する。
ステップ３０７：特急券の場合、乗車区間が正しいか、本日は有効日数の中に入っているかのチェックを行う。ＯＫならばステップ３０８へ、ＯＫでなければステップ４０８へ進む。
ステップ３０８：特急券と乗車券が１枚に印刷されている券片であれば、ステップ３０４へ進み、そうでなければステップ３０９へ進む。
ステップ３０９：特急券に記録されている乗車駅名は、特急券で許されている乗車区間内の駅名であるかをチェックする。例えば名古屋〜東京の特急券に「乗車駅＝京都」と記録されていれば、妥当な乗車駅でない、と判断する。妥当な乗車駅名が書かれていれば、ステップ３１０へ、妥当な乗車駅名でない、や何も書かれていなければ、ステップ４０８へ進む。
ステップ３１０：入力された特急券を回収する（下車の記録をしても良い）。
ステップ３１１：新幹線回数券の場合、乗車区間が正しいか、本日は有効日数の中に入っているかのチェックを行う。ＯＫならばステップ３１２へ、ＯＫでなければステップ４０８へ進む。
【００１３】
ステップ３１２：この回数券に記録されている乗車駅名は、回数券で許されている乗車区間内の駅名であるかをチェックする。例えば名古屋〜東京の回数券に「乗車駅＝京都」と記録されていれば、妥当な乗車駅でない、と判断する。妥当な乗車駅名が書かれていれば、ステップ３１３へ、妥当な乗車駅名でない、や何も書かれていなければ、ステップ４０８へ進む。
ステップ３１３：入力された回数券に下車駅、下車日時を記録し、乗客に返却する。
ステップ３１４：在来線を下車する時に定期券を使う乗客は、定期券に乗車駅の記録をしなければ、下車できないので、この改札口で定期券を入力する。ここで有効期間内であることをチェックし、有効期間内であれば、ステップ３０１へ、そうでなければステップ４０８へ進む。
ステップ４０１：乗車券（周遊券も含む）、特急券ともにＯＫかどうかを判断する。新幹線回数券の場合、ステップ３１１で有効、と判断していればこのステップは省略してもよい。ＯＫならばステップ４０２へ、ＯＫでなければステップ４０８へ進む。
【００１４】
ステップ４０２：定期券の入力はあったかどうか判断し、あればステップ４０３へ、なければステップ４０７へ進む。
ステップ４０３：乗車券（周遊券、新幹線回数券含む）と定期券の区間が連続しているか否かを判断する。連続していればステップ４０４へ、連続していなければステップ４０５へ進む。
ステップ４０４：乗車区間が連続しているので、乗客がこの定期券で在来線の駅で下車可能（もちろん定期券の有効な区間で）と判断し、定期券に「乗車駅＝所定乗車駅」を記録する。
ステップ４０５：乗車区間が連続していないので、この定期券で在来線の駅から下車を認めない。定期券に「乗車駅＝乗換駅（設置駅）」を記録する。
ステップ４０６：現在の日時を定期券の乗車日時欄に記録する。
ステップ４０７：自動改札機のゲートを開け、乗客の通過を認める。
ステップ４０８：乗客が入力した券片をすべて返却し、ゲートを閉じ、ブザーを鳴動する。
ステップ３０４等で、区間はＯＫか？と判断するが、その方法を述べる。自動改札機に図２４に示す下車判定テーブルを記憶させておいて判断する。設置駅をＣ駅とすると、図２４に○を付けた区間の乗車券、特急券等は区間はＯＫであり、それ以外（図２４に書かれていない区間も含めて）はＮＧ、と判断する。例えば、この駅はＣ駅であるので、Ａ−Ｃ，Ａ−Ｄ，Ａ−Ｅ区間に乗車できる券片は有効であるが、Ａ−ＢやＸ−Ｙという券片はＯＫでない。この判断は、公知の自動改札機でも実施されているので詳細は省略する。
【００１５】
図５は、定期券のフォーマット例を示す図である。
乗車日時、下車日時、乗車駅、下車駅は、１項目だけの領域しかとらず、上書きする定期券と、複数項目書き込める領域を確保し、時系列的に順次書き込んで、ラップアラウンドさせてもよい。
図３でも述べたが、新幹線から在来線に乗り換える改札口で、何故定期券を入力する必要があるのかを再度説明する。例えば、小田原から東海道新幹線で東京へ行き、中央線に乗換え、「東京ー新宿」という定期券で、新宿で下車したい乗客が居たとする。前提条件で述べた規則「乗車記録のない乗車券や定期券等での下車は認めない」を実行すると、この乗客はどこかで「東京ー新宿」の定期券（所定乗車駅＝東京、所定下車駅＝新宿）に「乗車駅＝東京」という記録をする必要がある。第１の実施例では、幹在乗換え口で、定期券に乗車駅を記録する方法を述べた。
ステップ４０３で乗車券と定期券の区間は連続しているかどうかを判断するために、自動改札機では、図６から図９のような判定図を作成する。Ａが小田原、Ｂが東京、Ｃが新宿とすれば（図６参照）、乗車券がＡ−Ｂ、定期券がＢ−Ｃの区間で有効であるので、論理和をとると、ＡからＣまで１が連続する。この場合、乗客の入力した乗車券、定期券の区間は連続している、と判定し定期券の乗車駅にはこの定期券の所定乗車駅である東京を記録する。
【００１６】
図７により、もう少し複雑な券片の組合せを説明する。弘済出版社発行の「ＪＲ時刻表１９９６年６月号」の９４０ページによると、乗車券の規則では都市内の中心駅から営業キロが２０１ｋｍ以上ある場合の乗車券は乗車できる範囲が、東京都内、大阪市内、のように単駅ではなくなる。例えば、名古屋から東京までの乗車券で、中央線の西荻窪駅まで乗車できることになる。図７に乗車券が「名古屋市内ー東京都内」、定期券が「西荻窪ー国分寺」の場合に自動改札機が作成する図を示す。乗車券の中央線方向に有効な駅は、西荻窪であるので、Ａ＝名古屋、Ｂ＝東京、Ｃ＝西荻窪、Ｄ＝国分寺であり、乗車券、定期券の論理和をとると、ＡからＤまですべて１が連続するので、この乗客が入力した券片は連続している、と判断し定期券に「乗車駅＝西荻窪」と記録する。乗客は西荻窪と国分寺の間で、下車することが可能となる。
【００１７】
図８は、乗車券は図７と同じ、定期券が「三鷹ー国分寺」の例を示す。したがってＡ＝名古屋、Ｂ＝東京、Ｃ＝西荻窪、Ｄ＝三鷹、Ｅ＝国分寺、Ｆ＝立川（図の中では詳細なすべての駅までは図示せず、主な駅だけを記述した）となり、論理和をとると、Ｃ−Ｄ間は０であるので乗車券と定期券は連続していない、と判断し、定期券には「乗車駅＝東京（設置駅）」と記録する。乗客がこの定期券で国分寺で下車しようとしても、「乗車駅が妥当でない」と自動改札機が判断して、下車させない。鉄道会社は不正乗車を防止することができる。
図９は、図６の乗車券（小田原ー東京）と図７の定期券（西荻窪ー国分寺）を入力された例である。東京ー西荻窪間を乗車できる券片がないので、連続していない、と判断し、定期券には「乗車駅＝東京」と記録する。
【００１８】
図１０は、本発明で利用する自動改札機の券片を搬送させる機構の機能ブロック図である。
投入口１０１から投入された券片を送り出し部１０２が繰り出し、磁気読取り部１０３に搬送する。磁気読取り部１０３では磁気の内容、券片の物理的な大きさから媒体の種類を特定し、切替えゲート１３１を制御して、乗車券スタッカ１０４（周遊券も格納）、特急券スタッカ１０５、切符スタッカ１０６（回数乗車券も格納）、定期券スタッカ１０７に格納する。ＣＵＳ２がハイになれば、乗客の券片の投入が終了した、と判断し、ＴＫＳＴをローにして投入口１０１のシャッタ（図示せず）を閉じる。投入が終了すれば、図４で示したように乗車券類の連続性を調査し、一度スタッカに蓄積した券片を切替えゲート１３２を制御して、１枚ずつ搬送を開始する。この時、磁気の書き込みが必要な場合は、磁気書き込み部１０８に、磁気書き込みが不必要な場合は、直接搬送路１２０を通って、切替えゲート１３３に搬送する。乗客へ返却する券片は、切替えゲート１３３から送り出し部１０９を経由して返却口１１０へ搬送し、回収すべき券片は、切替えゲート１３３から搬送路１２０を通って、回収部１１１へ格納する。
券片に磁気を書き込むのは、乗車駅、下車駅、乗車日時、下車日時があるが、入力された内容によって書き込む内容が変化するのは定期券だけである。つまり、乗車券、特急券は１枚の単体で、ＯＫか否かを判定しその都度、上／下車駅、上／下車日時を書き込んでもよい、一方、定期券は乗車券と区間が連続しているか否か、チェックしなければならないので、すべての券片の入力が終了するのを待つ必要がある。そのため図１０に示すように各券片のスタッカを設ける必要があった。しかし、「定期券は最後に入力してもらう。」という仕様にすれば、それまでの乗車券の乗車区間を記憶しておいて、定期券投入後にステップ３１４とステップ４０１以降を処理することが可能となり、図１０に示した各券片毎のスタッカは不要となる。これは自動改札機を作成するコストが安くなる、という効果がある。
【００１９】
図３、図４では、設置駅までの乗車券があれば幹在乗換え口を通過できるフローを記述した。例えば、東京駅までの乗車券があれば幹在乗換え口を通過した後、在来線の改札口から下車できることを考慮している。しかし、駅の構造によっては、新幹線を降りてから外に出る改札口が乗客に便利な場所に設置してあることもある。この場合、設置駅までの乗車券では、不正乗車を防止するために、幹在の乗換え口の通過を認めない、という駅も考えられる。この場合は、ステップ３０４で、設置駅までならＮＧと判断すれば、この乗客を在来線のホームに移動することを防ぐことができる。これを実現するためには、自動改札機は図１０のように各券片のスタッカを有し、乗客が入力したのは乗車券が１枚だけで、その乗車範囲が設置駅までの時がＮＧ，乗車券と定期券を入力し、乗車券は設置駅までだが、定期券が設置駅から乗車可能であればＯＫ，と判断すればよい。乗車券が設置駅までなら通過を認めるか否かは、駅の構造に依存するので、自動改札機の管理者または製作者は、どちらかのモードを設定し、自動改札機のソフトウエアは、２つのモードを読取り、そのモードによってステップ３０４の処理を変えればよい。モードを設定したり、変更したりするのは、ハードウエア的にスイッチで切り替えたり、自動改札機を制御するコンピュータでソフトウエア的に切り替えたりすれば容易に実現することが可能である。
【００２０】
（第２の実施例）
図１１、図１２は、在来線から新幹線へ（以下、在幹）乗換え口に設置した自動改札機の処理フローチャートである。
第２の実施例として、在幹乗換え口の自動改札機での処理フローの各ステップの説明をする。なお、図３、図４と同じ処理はステップ＊＊＊の番号は同一の番号を割り当てた。ここでの説明では図３、図４と同じ処理は省略する。
前提条件で、乗車の記録のない乗車券で乗車は認めない、と述べたが、切符や定期券で最寄りの駅から在来線に乗り、新幹線乗換え駅まで来る乗客のことを考慮する必要がある。この場合、新幹線に乗車するための乗車券、新幹線回数券には、まだ乗車の記録がされていない。在幹乗換え口の自動改札機では、乗車券、周遊券、新幹線回数券に乗車駅が記録されていなくても、その乗客が投入した乗車駅が記録されている他の乗車券類と乗車区間が連続していれば、その乗客に乗車を認める必要がある。それらの券片が入力されれば、一旦乗車券スタッカ１０４に格納し、他の乗車券類と区間が連続するかどうかを調べる必要がある。以下、図１１、図１２ではじめて示したステップの説明を行う。
【００２１】
ステップ１１０１：乗車券、周遊券に妥当な乗車駅名が書かれていれば、それを示す変数ＪＦに”ＯＫ”という値を代入しておく。
ステップ１１０２：乗車券、周遊券に妥当な乗車駅名が書かれていなければ、それを示す変数ＪＦに”ＮＧ”という値を代入しておく。
ステップ１１０３：正当な特急券であるので、乗車駅名に設置駅を記録する。
ステップ１１０４：乗客に特急券を返却する。
スッテプ１１０５：ステップ１１０１と同様。
ステップ１１０６：ステップ１１０２と同様。
ステップ１１０７：在来線を乗車してきた切符、定期券、回数乗車券の乗車区間を読み取る。
ステップ１１０８：この改札口から乗車する前に、精算機で精算した乗客は精算券を入力するので、発行駅、発行してから所定の時間が経過していないか、等の妥当性のチェックを行う。妥当ならばステップ３０１へ戻り、妥当でないならばステップ４０８へ進む。精算の方法は第９の実施例で述べる。
ステップ１２０１：入力された乗車券類（精算券含む）は１枚か２枚かを判断する。１枚ならばステップ１２０２へ、２枚ならばステップ４０１へ進む。
ステップ１２０２：もし、乗車券類が１枚だけでそこには妥当な乗車駅名が書かれていなかったならば（ＪＦ＝”ＮＧ”）、ステップ４０８へ進み、処理は終了する。もし、妥当な乗車駅名が書かれていれば（ＪＦ＝”ＯＫ”）、ステップ１２０３へ進み、処理を続ける。
ステップ１２０３：有効な特急券の入力はあったか、を判断し、あればステップ１２０５へ、なければステップ４０８へ進む。
ステップ１２０４：乗車券、特急券ともに区間、有効日数が有効であり、乗車券と、切符（回数乗車券、定期券）の乗車区間は連続しているので、乗車券に設置駅を乗車駅として記録する。
ステップ１２０５：切符、回数乗車券、精算券を回収部１１１に格納し、乗車券、周遊券、新幹線回数券を乗客に返却する。
【００２２】
図１３に「国分寺ー三鷹」の切符と、「東京都内ー名古屋市内」の乗車券、「東京ー名古屋」の特急券を入力した場合に、切符と乗車券の区間が連続しているかどうかを調べる方法を図示する（図１３では、特急券の情報は除く）。Ａ＝国分寺、Ｂ＝三鷹、Ｃ＝西荻窪、Ｄ＝東京、Ｅ＝名古屋を表わす。切符はＡ−Ｂ間だけに１がたち、あとは０である。乗車券は西荻窪から有効なので、Ｃ−Ｅ間に１が立つ。これらの論理和をとると、０の区間が存在するのでステップ４０３では、乗車区間は連続でない、と判断する。上記のケースで、「国分寺ー西荻窪」という定期券や切符ならば、論理和をとった結果すべて１が並ぶので、区間は連続であると判断し、特急券も有効なので、切符は回収し、その他の券片は乗客に返却して、乗客の乗車を認める。
【００２３】
（第３の実施例）
第３の実施例として、外部から新幹線の改札口へ到着し、乗車する例を示す。
図１４、図１５は、本発明の第３の実施例を示す自動改札機の処理フローチャートである。
ここでは、切符、定期券での乗車は認めないので、これまでの実施例よりも比較的簡単な処理で実現可能である。第１、第２の実施例ですでに示した内容だけで実現できるので、個々の説明は省略する。
【００２４】
（第４の実施例）
第４の実施例として、新幹線の改札口から外部へ下車する例を述べる。
図１６、図１５（図１６の続きは図１５であることに注意）に、その処理フローを示し、本実施例ではじめて記述するステップの説明を行う。
ステップ１６０１：入力された乗車券、周遊券の乗車区間は、この駅までか？それともこの駅で途中下車可能かを判断する。この駅までならステップ１６０２へ、途中下車可能ならばステップ１６０３へ進む。
ステップ１６０２：乗車区間はこの駅までなので、回収する。
ステップ１６０３：途中下車可能なので、下車日時、下車駅を記録して返却する。
ステップ１６０４：有効な新幹線回数券を入力されたので、回収し下車を認める。
【００２５】
（第５の実施例）
第５の実施例として、外部から在来線の改札口を通って乗車する例を述べる。ここでは、在来線に乗車するための切符、定期券だけでなく、新幹線乗換え駅まで切符や定期券等で行って、そこから新幹線に乗車する乗客のことを考慮する必要がある。在来線に乗車する前に、新幹線の乗車券を所有している乗客に、この改札口で乗車区間の連続した切符と乗車券を入力することを可能とし、乗車券に妥当な乗車駅を記録する方法を述べる。乗車駅図１７、図１８に処理フローを示し、本実施例ではじめて記述するステップの説明を行う。
ステップ１７０１：乗車券、周遊券の有効日数は有効期間内かどうかを判断する。ＯＫならばステップ１１０４へ、ＮＧならばステップ４０８へ進む。
ステップ１７０２：新幹線回数券、特急回数券の有効日数は有効期間内かどうかを判断する。ＯＫならばステップ１１０４へ、ＮＧならばステップ４０８へ進む。
ステップ１７０３：切符、回数乗車券、特急回数券の有効日数は有効期間内かどうか、及びこの券片でこの駅から乗車できるか否かを判断する。ＯＫならばステップ１１０４へ、ＮＧならばステップ４０８へ進む。
ステップ１８０１：乗車券類の入力は２枚あったか、否か（１枚だけであったか）を判断する。２枚入力されていればステップ１８０２へ、１枚だけであればステップ１８０７へ進む。
【００２６】
ステップ１８０２：それらの乗車区間が連続であるか否かを判断する。連続であればステップ１８０３へ、連続でなければステップ４０８へ進む。
ステップ１８０３：それらの乗車券類の内、少なくとも１枚は設置駅から乗車可能か否かを判断する。乗車可能であれば、ステップ１８０４へ、２枚とも乗車不可能であればステップ４０８へ進む。
ステップ１８０４：設置駅から乗車可能（先乗）な券片には乗車駅＝設置駅名を記録し、後の区間で有効な（後乗）券片には乗車駅＝所定乗車駅名を記録する。例えば、「三鷹ー西荻窪」の切符と「西荻窪ー名古屋市内」の乗車券を三鷹駅で入力されれば、切符には「乗車駅＝三鷹」、乗車券には「乗車駅＝西荻窪」と記録する。
ステップ１８０５：入力された乗車券類が１枚だけの場合、その券片で設置駅から乗車可能であるか否かを判断する。乗車可能であれば、ステップ１８０６へ、乗車不可能であれば、ステップ４０８へ進む。
ステップ１８０６：入力された券片に「乗車駅＝設置駅」を記録する。
在幹と乗り継ぐ場合、在来線の駅には２枚の乗車券類を受け付ける自動改札機がなければ、第２の実施例で示したように、新幹線乗換え駅で、在来線と新幹線に乗車するための連続した２枚の乗車券類を受け付ける。
一方、在来線の駅に２枚の乗車券類を受け付ける自動改札機があれば、乗客は第５の実施例で示したように、在来線に乗車する時に２枚の乗車券類を入力してもよいし、第２の実施例のように在来線乗車時は、新幹線の乗車券は入力せず、新幹線乗換え口で２枚の乗車券類を入力してもよい。
さらに、本実施例では切符と定期券の２枚の乗車券類（区間は連続している）で在来線を乗車し、定期券に所定乗車駅を記録するので、この乗客が新幹線に乗り継ぐ場合は、その定期券と区間が連続した乗車券で在幹乗換え口の自動改札機から乗車することもできる（第２の実施例で説明済み）。
【００２７】
（第６の実施例）
第６の実施例として、在来線の改札口から外部へ下車する例を述べる。この改札口を通過する乗客には次のパターンがある。
（１）在来線だけを乗車し、在来線用の券片で下車する。
（２）下車する直前に精算機で精算し、精算券で下車する。
（３）幹在を乗り継いだ乗客が、新幹線、在来線両方を乗車できる乗車券類で、下車する。
（４）乗車区間の連続した２枚の乗車券類で、下車する。
（５）幹在を乗り継いだ乗客が、新幹線を下車した後、在来線を乗車するための定期券に精算機で乗車の記録をし、その定期券で下車する。
【００２８】
図１９、図２０に処理フローを示し、本実施例ではじめて記述するステップの説明を行う。
ステップ２００１：２枚の乗車券類の乗車区間が連続していれば、その中の１枚で下車できるかどうか判断する。下車できればステップ２００５へ、できなければステップ４０８ヘ進む。これは上記のパターン（４）にあたる。
ステップ２００２：入力された券片が精算券であれば、図１９のステップ１１０８で妥当な精算券と、判断しているので、ステップ２００５へ進む。これは上記パターンの（２）に該当する。精算券でなければステップ２００３へ進む。
ステップ２００３：１枚だけ入力された券片に妥当な乗車駅名が書かれているか否かチェックする。書かれていればステップ２００４へ、書かれていなければステップ４０８へ進む。
ステップ２００４：その券片で下車可能であるか否か判断する。下車可能であればステップ２００５へ、下車不可能であればステップ４０８へ進む。
上記のパターン（１）（３）（５）の場合は１枚の乗車券、新幹線回数券、または定期券であるので、ステップ２００３、ステップ２００４の処理を行う。
ステップ２００５：下車可能と判断し、定期券や途中下車可能な乗車券、周遊券には下車駅、下車日時を記録し、返却する。その他の券片は回収する。
【００２９】
（第７の実施例）
これまでの実施例で精算券を利用して下車する、と述べてきたので、図２１から図２３に精算方法の処理フローを示す。
第７の実施例として図２１に、幹在を乗り継ぐ乗客が、幹在の乗換え口を出た直後の精算機で精算し、在来線を下車するための定期券に妥当な乗車記録を行うフローを示す。新幹線を乗車した券片（乗車券、新幹線回数券等）と在来線に乗車するための定期券の区間が連続していれば、第１の実施例、第６の実施例で示したようにその定期券で下車することができるが、乗車券と定期券の区間が連続していなければ、乗客に精算してもらう必要がある。以下、各ステップの説明を行う。
ステップ２１０１：２枚の乗車券類（例えば乗車券＋定期券、新幹線回数券＋定期券）を精算機に入力する。
ステップ２１０２：不連続な区間を求め（求め方は図８、図９、図１３で説明済み）、その区間の運賃を運賃テーブルから求める。
ステップ２１０３：入金を受け付け、おつりを出金する。
ステップ２１０４：定期券の乗車駅に「所定乗車駅」を記録する。
スッテプ２１０５：入力された乗車券類を２枚とも返却し、領収書を発行する。この領収書を精算券として、他の乗客に使用させないために、精算券とは印字もしないし、磁気化もしない。真の乗客がトラブルに巻き込まれた時（定期券に乗車駅が記録されなかった、等）、正しく精算したことを証明するために領収書として発行する。
図１９のステップ２００３、２００４に示したように、この定期券で乗客は在来線の所定乗車駅から所定下車駅の間で下車可能となる。
【００３０】
（第８の実施例）
第８の実施例として、図２２に在来線の改札口から下車する直前の精算機での処理フローを示す。図２１と異なるステップを説明する。
ステップ２２０１：下車を可能とする精算券（公知の精算券と同一でよい）を発券する。乗客は図１９のステップ１１０８以下の処理で、この精算券を利用して下車できる。
ステップ２２０２：乗車区間外の切符や回数乗車券、乗車区間内であるが新幹線回数券、特急回数券、等途中下車できない券片を回収し、区間内の乗車券、定期券、周遊券、等乗客が再利用できる券片は返却する。
【００３１】
（第９の実施例）
第９の実施例として、図２３に在幹乗換え口直前の精算機で精算する処理フローを示す。切符で在来線に乗車し、在幹乗換え口で、新幹線に乗車するための乗車券と在来線を乗車した切符の２枚を入力する方法を第２の実施例で述べたが、図１２のステップ４０３で、それらの乗車区間が連続しているか否かを判断する。もし、連続していなければ第９の実施例で述べる方法で、精算し、その精算券を在幹乗換え口の自動改札機に入力して、乗車する。図２１と異なるステップを説明する。
ステップ２３０１：在幹の自動改札機から乗車できる精算券を出力する。
ステップ２３０２：乗車券に「乗車駅＝設置駅」を記録する。
ステップ２３０３：乗客が入力した切符、回数乗車券、等再利用できない券片を回収し、乗車券、定期券を返却する。
乗客は、ここで発券された精算券、乗車の記録をされた乗車券のどちらでも在幹の自動改札機を通過することが可能となる。
【００３２】
以上の実施例をまとめると、以下のようになる。
（１）幹→在と乗り継ぐ場合
乗車券（新幹線用）と定期券等（在来線用）が連続している場合
（ａ）幹在改札口で、乗車券と定期券を入力し、定期券に乗車の記録をする（第１、第６の実施例）。
（ｂ）在来線を下車する改札口に乗車券と定期券を入力し、下車する（第６の実施例）。
乗車券と定期券が連続していない場合
（ｃ）幹在改札口を出た直後の精算機に、乗車券と定期券を入力し、不足賃を入金し、定期券に乗車の記録をする。乗客はこの定期券で下車する（第６、第７の実施例）。
（ｄ）在来線を下車する直前の精算機に、乗車券と定期券を入力し、不足賃を入金し、精算券を発券する。乗客はこの精算券で下車する（第６、第８の実施例）。
（２）在→幹と乗り継ぐ場合
切符や定期券等（在来線用）と乗車券（新幹線用）が連続している場合
（ａ）在幹改札口で切符や定期券等＋乗車券を入力する（第２の実施例）。
（ｂ）在来線に乗車する改札口で切符や定期券＋乗車券を入力する（第５の実施例）。
切符や定期券と乗車券が連続していない場合
（ｃ）在幹改札口を乗車する直前の精算機にこれら２枚の券片を入力し、不足賃を入金し、乗車券に乗車の記録を行う。乗客はこの乗車券で在幹改札口の自動改札機から乗車可能となる（第９の実施例）。
【００３３】
（３）在来線のみを乗車した場合
（ａ）乗車記録のある１枚の乗車券類で下車する（第６の実施例）
（ｂ）連続した２枚の乗車券類で下車する（第６の実施例）
（ｃ）精算券で下車する（第８の実施例）
（４）新幹線のみを乗車した場合
（ａ）新幹線用の乗車券で下車（第４の実施例）
本発明では定期券は磁気化されたものを使用する、という前提で説明をしてきたが、非接触ＩＣカードを定期券に利用すれば、他の乗車券類との連続性を調査するのに、乗客は定期券を自動改札機に入力する、というわずらわしさから開放される。これらのことは特開平６ー２９０３２０号公報に詳しく延べてあるので、ここでは省略する。
【００３４】
【発明の効果】
以上説明したように、本発明によれば、鉄道会社は、正しい乗車をした乗客に不正乗車の疑いをかけることなく正しい運賃を乗客から徴収することが可能となる。
【図面の簡単な説明】
【図１】本発明における自動改札装置の出力信号の例（その１）を示す図である。
【図２】同じく自動改札装置の出力信号の例（その２）を示す図である。
【図３】本発明の第１の実施例を示す幹在乗換え口の自動改札機の処理フローチャート（その１）である。
【図４】同じく幹在乗換え口の自動改札機の処理フローチャート（その２）である。
【図５】本発明における定期券の磁気フォーマットである。
【図６】本発明における乗車区間連続判定図（その１）である。
【図７】同じく乗車区間連続判定図（その２）である。
【図８】同じく乗車区間連続判定図（その３）である。
【図９】同じく乗車区間連続判定図（その４）である。
【図１０】本発明における自動改札機の搬送部の機能ブロック図である。
【図１１】本発明の第２の実施例を示す在幹乗換え口の自動改札機の処理フローチャート（その１）である。
【図１２】同じく在幹乗換え口の自動改札機の処理フローチャート（その２）である。
【図１３】本発明における乗車区間連続判定図である。
【図１４】本発明の第３の実施例を示す新幹線乗車改札口の自動改札機の処理フローチャート（その１）である。
【図１５】同じく新幹線乗車／下車改札口の自動改札機の処理フローチャート（その２）である（第３および第４の実施例）。
【図１６】本発明の第４の実施例を示す新幹線下車改札口の自動改札機の処理フローチャート（その１）である。
【図１７】本発明の第５の実施例を示す在来線乗車改札口の自動改札機の処理フローチャート（その１）である。
【図１８】同じく在来線乗車改札口の自動改札機の処理フローチャート（その２）である。
【図１９】本発明の第６の実施例を示す在来線下車改札口の自動改札機の処理フローチャート（その１）である。
【図２０】同じく在来線下車改札口の自動改札機の処理フローチャート（その２）である。
【図２１】本発明の第７の幹在乗換え口の精算機の処理フローチャートである。
【図２２】本発明の第８の実施例を示す在来線下車時の精算機処理フローチャートである。
【図２３】本発明の第９の実施例を示す在幹乗換え口の精算機の処理フローチャートである。
【図２４】本発明の自動改札機に設置される下車判定テーブルの図である。
【符号の説明】
１０１…券片の投入口、１０２…送り出し部、１０３…磁気読取り部、
１０４…乗車券スタッカ、１０５…特急券スタッカ、１０６…切符スタッカ、
１０７…定期券スタッカ、１０８…磁気書き込み部、１０９…送り出し部、
１１０…返却口、１１１…回収部、１２０…搬送路、
１３１、１３２、１３３…切替えゲート。
【図１】
0003575722.tif 000002
【図２】
0003575722.tif 000003
【図３】
0003575722.tif 000004
【図４】
0003575722.tif 000005
【図５】
0003575722.tif 000006
【図６】
0003575722.tif 000007
【図７】
0003575722.tif 000008
【図８】
0003575722.tif 000009
【図９】
0003575722.tif 000010
【図１０】
0003575722.tif 000011
【図１１】
0003575722.tif 000012
【図１２】
0003575722.tif 000013
【図１３】
0003575722.tif 000014
【図１４】
0003575722.tif 000015
【図１５】
0003575722.tif 000016
【図１６】
0003575722.tif 000017
【図１７】
0003575722.tif 000018
【図１８】
0003575722.tif 000019
【図１９】
0003575722.tif 000020
【図２０】
0003575722.tif 000021
【図２１】
0003575722.tif 000022
【図２２】
0003575722.tif 000023
【図２３】
0003575722.tif 000024
【図２４】
0003575722.tif 000025